(57)【特許請求の範囲】
【請求項１】
視認側に対して凹型である凹型湾曲パネルを有する液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサの内側表面に反射板または反射シートが貼り付けられていることを特徴とする液晶表示装置。
【請求項２】
視認側に対して凹型である凹型湾曲パネルを有する液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサの内側表面に加えて前記第１スペーサ及び第３スペーサを支持している前記バックライトユニットのスペーサ支持部の内側表面にも前記反射板または反射シートが貼り付けられていることを特徴とする液晶表示装置。
【請求項３】
視認側に対して凹型である凹型湾曲パネルを有する液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記液晶パネルと、前記第１スペーサと、前記第３スペーサ及び前記バックライトユニット等によって囲まれた内部空間によって形成される内壁のうち、前記湾曲パネルと前記バックライトユニットの光源との間に設置されている部材であって該光源から放射される光が通過する性質を有する部材以外の部材によって形成される内壁については、すべての内壁に反射板または反射シートが貼り付けられていることを特徴とする液晶表示装置。
【請求項４】
前記反射板または反射シートの反射面は高反射材よりなるフィルムシートを貼り付けることによって形成されていることを特徴とする請求項１乃至３のいずれか１項に記載の液晶表示装置。
【請求項５】
前記反射板または反射シートの反射面は鏡面反射材よりなるフィルムシートを貼り付けることによって形成されていることを特徴とする請求項１乃至３のいずれか１項に記載の液晶表示装置。
【請求項６】
前記反射板または反射シートの反射面は高反射材を コーティングすることによって形成されていることを特徴とする請求項１乃至３のいずれか１項に記載の液晶表示装置。
【請求項７】
前記反射板または反射シートの反射面は鏡面反射材をコーティングすることによって形成されていることを特徴とする請求項１乃至３のいずれか１項に記載の液晶表示装置。
【請求項８】
視認側に対して凹型である凹型湾曲パネルを有する液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサは高反射材よりなることを特徴とする  液晶表示装置。
【請求項９】
視認側に対して凹型である凹型湾曲パネルを有する液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサは鏡面反射材よりなることを特徴とする液晶表示装置。
【請求項１０】
視認側に対して凹型である凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において前記第１スペーサ及び第３スペーサの内側表面に反射板または反射シートを設置する工程を含むことを特徴とする液晶表示装置に用いる反射板または反射シートの形成設置方法。
【請求項１１】
視認側に対して凹型である凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において前記第１スペーサ及び第３スペーサの内側表面に高反射材をコーティングすることによって反射板または反射シートを形成する工程を含むことを特徴とする液晶  表示装置に用いる反射板または反射シートの形成設置方法。
【請求項１２】
視認側に対して凹型である凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において、
前記液晶パネルと、前記第１スペーサと、前記第３スペーサ及び前記バックライトユニット等によって囲まれた内部空間によって形成される内壁のうち、前記湾曲パネルと前記バックライトユニットの光源との間に設置されている部材であって該光源から放射される光が通過する性質を有する部材以外の部材によって形成される内壁については、すべての内壁に反射板または反射シートを貼り付ける工程を含むことを特徴とする液晶表示装置に用いる反射板または反射シートの形成設置方法。
【請求項１３】
視認側に対して凹型である凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において、
前記液晶パネルと、前記第１スペーサと、前記第３スペーサ及び前記バックライトユニット等によって囲まれた内部空間によって形成される内壁のうち、前記湾曲パネルと前記バックライトユニットの光源との間に設置されている部材であって該光源から放射される光が通過する性質を有する部材以外の部材によって形成される内壁については、すべての内壁に高反射材をコーティングすることによって反射板または反射シートを形成する工程を含むことを特徴とする液晶表示装置に用いる反射板または反射シートの形成設置方法。
【請求項１４】
前記第１スペーサは対向する二辺のうち長辺側の二辺の裏側に設置され、前記第２スペーサは対向する二辺のうち長辺側の二辺の表側に設置されていることを特徴とする請求項１乃至９のいずれか１項に記載の液晶表示装置。
【請求項１５】
前記第１スペーサは対向する二辺のうち長辺側の二辺の裏側に設置され、前記第２スペーサは対向する二辺のうち長辺側の二辺の表側に設置されていることを特徴とする請求項１０乃至１３のいずれか１項に記載の液晶表示装置に用いる反射板または反射シートの形成設置方法。
【発明の詳細な説明】
【技術分野】
【０００１】
本発明は、湾曲液晶表示装置及び湾曲液晶表示装置に用いる反射板または反射シートの形成設置方法に関する。
【背景技術】
【０００２】
近年、液晶表示装置がテレビジョン受信機の表示  装置に採用されるのに伴い、液晶表示装置画面の大画面化が加速している。画面の大画面化が進むにつれ、視聴者が画面の中央部を視る場合の視角と画面の左右の両端を見る場合の視角との視角差（本明細書においては、「視角」の用語を画面の観察者の視線と観察している画面の接線とのなす角度と定義し、それらの差を「視角差」と定義して使用する）が大きくなってしまうという問題がある。
【０００３】
また、所謂映り込みも大きくなってしまうという問題もある。このような視角差は、画面を凹型に湾曲させることによって改善される。
【０００４】
しかしながら、画面を凹型に湾曲させた液晶パネル（以下「凹型湾曲液晶パネル」ともいう）に平面液晶パネルと同じ構造のバックライトを使用すると、凹型湾曲液晶パネルの周辺部において凹型湾曲液晶パネルとバックライトとの間に設置されているスペーサ等の影響によりバックライト内の光源から放射された光の均一性が崩れる。その結果、凹型湾曲液晶パネルの画面の輝度の均一性は従来の平面型液晶表示装置の画面の輝度の均一性に比べて低いものとなる。
【０００５】
この問題の解決策としては、図４に示されるように、バックライトの横幅を凹型湾曲液晶パネルの横幅よりも広くするという解決策がある。この問題と解決策について図４を参照しつつ説明する。
【０００６】
図４は、凹型湾曲液晶パネルの両端を見ている  観測者の視線とバックライトの横幅の関係を示す説明断面図である。凹型湾曲液晶パネルの両端の像を視るためには視線４０１を通る光線が必要であり、この光線をバックライト１１３から得るためには、バックライト４０２の横幅はｗ４と広がってしまう。すなわち、液晶パネルが平面である場合の液晶表示装置の横幅W３に比べて広くしなければならない。このような液晶表示装置の外形が大きくなってしまうという解決策は好ましくない。
【０００７】
また、凹型湾曲液晶パネルの縁にはパネルを支持するスペーサ等が必要であるが、このスペーサ等は観測者に視認されやすい箇所に位置するので、観測者が凹型湾曲液晶パネルを正面から普通の状態で視ると、これらのスペーサ等まで見えてしまい、これらのスペーサ等の材質や色の影響によってその部分が薄暗く視えたり、色付いて視えたりしてしまうという問題もある。
【特許文献１】特開  平９−１９７１３５
【発明の開示】
【発明が解決しようとする課題】
【０００８】
そこで、本発明は、液晶表示装置の外形を大きくすることなく、湾曲画面を有する液晶表示装置の画面の輝度の均一性を確保し、輝度むら等の発生を最小限に抑えた凹型湾曲液晶パネルを有する液晶表示装置を提供することを目的とする。
【課題を解決するための手段】
【０００９】
上記課題を解決するために、特に反射板または反射シートを配置する位置を工夫した結果、通常は、光源の後ろに、液晶パネルと平行に配置する反射板または反射シートを、図５に示されているように、反射板または反射シートを垂直方 向に設置したり、一見必要とは思われにくい種々の隙間にも設置したりすることが効果的であるという知見を得た。なお、図５は、凹型湾曲液晶パネルの観測者の視線と 反射板または反射シートとの関係を示す説明図である。
【００１０】
そこで、係る知見に基づいて、
請求項１に記載の発明は、凹型湾曲パネルを有する  液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサの内側表面に反射板または反射シートが貼り付けられていることを特徴とする。
【００１１】
請求項２に記載の発明は、凹型湾曲パネルを有する  液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサの内側表面に加えて前記第１スペーサ及び第３スペーサを支持している前記バックライトユニットのスペーサ支持部の内側表面にも前記反射板または反射シートが貼り付けられていることを特徴とする。
【００１２】
請求項３に記載の発明は、凹型湾曲パネルを有する  液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記液晶パネルと、前記第１スペーサと、前記第３スペーサ及び前記バックライトユニット等によって囲まれた内部空間によって形成される内壁のうち、前記湾曲パネルと前記バックライトユニットの光源との間に設置されている部材であって該光源から放射される光が通過する性質を有する部材以外の部材によって形成される内壁については、すべての内壁に反射板または反射シートが貼り付けられていることを特徴とする。
【００１３】
請求項４に記載の発明は、請求項１乃至３に記載の  液晶表示装置に係り、
前記反射板または反射シートの反射面は高反射材よりなるフィルムシートを貼り付けることによって形成されていることを特徴とする。
【００１４】
請求項５に記載の発明は、請求項１乃至３に記載の  液晶表示装置に係り、
前記反射板または反射シートの反射面は鏡面反射材よりなるフィルムシートを貼り付けることによって形成されていることを特徴とする。
【００１５】
請求項６に記載の発明は、請求項１乃至３に記載の  液晶表示装置に係り、
前記反射板または反射シートの反射面は高反射材を コーティングすることによって形成されていることを特徴とする。
【００１６】
請求項７に記載の発明は、請求項１乃至３に記載の  液晶表示装置に係り、
前記反射板または反射シートの反射面は鏡面反射材をコーティングすることによって形成されていることを特徴とする。
【００１７】
請求項８に記載の発明は、凹型湾曲パネルを有する  液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサは高反射材よりなることを特徴とする。
【００１８】
請求項９に記載の発明は、凹型湾曲パネルを有する  液晶表示装置であって、
前記液晶表示装置は前記液晶表示装置の液晶パネルが 前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備するものであって、
前記第１スペーサ及び第３スペーサは鏡面反射材よりなることを特徴とする。
【００１９】
請求項１０に記載の発明は、凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において前記第１スペーサ及び第３スペーサの内側表面に反射板または反射シートを設置する工程を含むことを特徴とする。
【００２０】
請求項１１に記載の発明は、凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において前記第１スペーサ及び第３スペーサの内側表面に高反射材をコーティングすることによって反射板または反射シートを形成する工程を含むことを特徴とする。
【００２１】
請求項１２に記載の発明は、凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において、
前記液晶パネルと、前記第１スペーサと、前記第３スペーサ及び前記バックライトユニット等によって囲まれた内部空間によって形成される内壁のうち、前記湾曲パネルと前記バックライトユニットの光源との間に設置されている部材であって該光源から放射される光が通過する性質を有する部材以外の部材によって形成される内壁については、すべての内壁に反射板または反射シートを貼り付ける工程を含むことを特徴とする。
【００２２】
請求項１３に記載の発明は、凹型湾曲パネルを有する液晶表示装置に用いる反射板または反射シートの形成設置方法であって、
前記液晶表示装置の液晶パネルが前記液晶パネルの対向する二辺の裏側に設置された凹型湾曲形状を有する第１スペーサと前記対向する二辺の表側に設置された凹型湾曲形状を有する第２スペーサとによって保持されており、前記液晶パネルの残りの二辺の裏側には一定の高さの第３スペーサが設置されて前記液晶パネルの残りの二辺が前記第３スペーサによって保持されているという構造を具備する前記液晶表示装置において、
前記液晶パネルと、前記第１スペーサと、前記第３スペーサ及び前記バックライトユニット等によって囲まれた内部空間によって形成される内壁のうち、前記湾曲パネルと前記バックライトユニットの光源との間に設置されている部材であって該光源から放射される光が通過する性質を有する部材以外の部材によって形成される内壁については、すべての内壁に高反射材をコーティングすることによって反射板または反射シートを形成する工程を含むことを特徴とする液晶表示装置に用いる反射板または反射シートの形成設置方法。
【００２３】
請求項１４に記載の発明は、請求項１乃至９に係る記載の液晶表示装置に係り、
前記第１スペーサは対向する二辺のうち長辺側の二辺の裏側に設置され、前記第２スペーサは対向する二辺のうち長辺側の二辺の表側に設置されていることを特徴とする。
【００２４】
請求項１５に記載の発明は、請求項１０乃至１３に係る液晶表示装置に用いる反射板または反射シートの形成設置方法に係り、
前記第１スペーサは対向する二辺のうち長辺側の二辺の裏側に設置され、前記第２スペーサは対向する二辺のうち長辺側の二辺の表側に設置されていることを特徴とする。
【発明の効果】
【００２５】
請求項１に記載の発明によれば、
バックライトの横幅を広げることなく、凹型湾曲液晶パネルの左右の両端に発生する輝度むらや、液晶パネルを通過して、液晶パネルの裏側に設置されているスペーサが見えてしまうという問題を改善できる。
【００２６】
また、請求項２に記載の発明によれば、
請求項１に記載の発明の効果に加えて、前記取り付け具に貼り付けられた反射板または反射シートによって、輝度むら等をさらに改善できる。
【００２７】
また、請求項３に記載の発明によれば、
請求項２に記載の発明による効果に加えて、さらに、輝度むら等をさらに改善できる。
【００２８】
また、請求項４に記載の発明によれば、請求項１乃至３に記載の発明の効果に加えて、反射板または反射シートの作成が容易となる。
【００２９】
また、請求項５に記載の発明によれば、
請求項４に記載の発明と同様の効果を得られる。
【００３０】
また、請求項６に記載の発明によれば、
請求項４に記載の発明と同様の効果を得られる。
【００３１】
また、請求項７に記載の発明によれば、
請求項４に記載の発明と同様の効果を得られる。
【００３２】
また、請求項８に記載の発明によれば、
請求項１乃至７に記載の発明と同様の効果を得られる。
【００３３】
また、請求項９に記載の発明によれば、
別途、反射板または反射シートをスペーサに貼り付けることなく、請求項１に記載の発明と同様の効果を得られる。
【００３４】
また、請求項１０に記載の発明によれば、
請求項９に記載の発明と同様の効果を得られる。
【００３５】
また、請求項１１に記載の発明によれば、
請求項３に記載の発明の効果に加えて、さらに、輝度むら等の改善ができる。
【００３６】
また、請求項１２に記載の発明によれば、
請求項３に記載の発明の効果と同様の効果を得られる。
【００３７】
また、請求項１３に記載の発明によれば、
請求項１２に記載の発明の効果と同様の効果を得られる。
【００３８】
また、請求項１４に記載の発明によれば、
請求項１乃至９に記載の発明の効果と同様の効果を得られる。
【００３９】
また、請求項１５に記載の発明によれば、
請求項１０乃至１３に記載の発明の効果と同様の効果を得られる。
【発明を実施するための最良の形態】
【００４０】
以下、図を参照しつつ、発明を実施するための最良の形態につき説明する。なお、以下の説明において、反射板についてのみ説明しているが、該反射板を反射シートと置き換えても同様の実施の形態が成立する。
【００４１】
最初に、以下に説明する実施の形態１乃至５に共通する凹型湾曲パネルを有する液晶表示装置について説明する。図１０は実施の形態１乃至５に共通する凹型湾曲パネルを有する液晶表示装置の主要部品の展開図である。図１０において、１０１は液晶パネルであり、３０１は第１スペーサであり、１０５は第３スペーサであり、３０２は第２スペーサであり、１１３はバックライトユニットである。
【００４２】
液晶パネル１０１は凹型湾曲形状を有する第１スペーサ３０１と第２スペーサ３０２に対向する二辺の縁を挟まれる。また、残りの二辺を一定の高さを有する第３スペーサ１０５によって支持される。該残りの二辺は図示されていないベゼル等によって押さえら固定される。本発明の実施の形態に係る液晶表示装置はこのような構造を有していることが前提となっている。以下、各実施の形態について説明する。
（実施の形態１）
図１は実施の形態１に係る凹型湾曲パネルを有する液晶表示装置において、反射板が設置されている様子を説明するための説明断面図である。液晶パネル１０１はバックライトユニット１１３の上方に、第３スペーサ１０５によって保持されている。第３スペーサ１０５の内壁には反射板１０２が設置されている。反射板は図１に示される第３スペーサ１０５とは直交する方向のスペーサにも設置されている。該直交するスペーサは図３に第１スペーサ３０１として示されている。第１スペーサ３０１の内壁にも反射板が設置されている。なお、図３は、実施の形態１に係る凹型湾曲パネルを有する液晶表示装置の主要部品である液晶パネル１０１、第３スペーサ１０５、第１スペーサ３０１及びバックライトユニット１１３の展開図である。
【００４３】
反射板が設置されている場所の概略を図によって示す。
【００４４】
図１０は、反射板が設置されている場所の概略を示す  展開図である。反射板は斜線で示されているように第１スペーサ３０１の内壁及び第３スペーサ１０５の内壁に設置される。
【００４５】
また、図２は図１の左端部の拡大断面図である。通常は第３スペーサ１０５が取り付けられている支持部１１４の下には、狭い空隙２０１が存在する。空隙２０１の下には、光学シート１１５及び拡散板１１６が設置されている。なお、スペーサ支持部１１４はバックライトユニット１１３のフレームの一部が支持部として機能している。
【００４６】
この狭い空隙２０１にも反射板１０２を空隙２０１の内壁に設置する。この処置により、隅部１１０における輝度むら等を改善できる。
【００４７】
次に、反射板をこのように設置する理由と設置した場合の効果について説明する。
【００４８】
図１、図２及び図３に示される構造を有する液晶表示装置の場合においては観測者が液晶パネル１０１の端部１１０を視た場合、反射板１０２を設置しないと、第３スペーサ１０５が液晶パネル１０１を通して見えてしまったり、輝度むら等が生じてしまったりする。
【００４９】
図１及び図２を参照しつつ、具体的に説明する。図１に示される液晶パネル１０１の端部１１０を観察する場合、反射板１０２が設置されていないと、観察者からの視線１１１は液晶パネル１０１を通過した後に光源１０４へ到達することはできない。第３スペーサ１０５等の部材がその進路を防ぐからである。
【００５０】
逆に光源１０４から視線１１１を通って観察者の目に向かう光線について考えると、そのような光線は、第３スペーサ１０５の存在が障害となり、光源１０４から液晶パネル１０１の隅部１１０を通過して観察者の目に到達する直接的な光線は存在しない。したがって、間接光を考慮しても液晶パネル１０１の隅部においては、液晶パネル１０１の裏面から液晶パネル１０１を通過して観察者の目に到達する光線の量は液晶パネル１０１の他の部分に比較して少なくなる。いいかえれば、液晶パネル１０１の端部１１０においては液晶に対するバックライトによる効果が正常に 発揮されず、輝度むらが発生したり、第３スペーサ１０５の内壁が観察者に見えてしまったりするという現象が生じてしまう。
【００５１】
このような問題の対策として、第３スペーサ１０５の内壁に反射板１０２を設置すれば、光源１０４からの光線２０２を反射板１０２に反射させ、視線１１１を通じて観察者の目に入射させられる。その結果、輝度むらの発生や、第３スペーサ１０５の内壁が観察者に見えてしまったりするという問題を解決できる。なお、この問題は図４に示されるように、バックライトユニット１１３の幅を視線４０１の先端に対応する幅まで拡大することによっても解決できる。しかし、この解決方法ではバックライトユニットの幅が広げる必要があり、結果として液晶表示装置の外形寸法を大きくしなければならなくなってしまう。
【００５２】
その点、図１に示されるような反射板１０２を設置する方法によれば液晶表示装置の外形を拡大することなく問題を解決でき、表示装置に求められる狭額縁化の要請を満たすことができる。
（実施の形態２）
図６は実施の形態２に係る凹型湾曲パネルを有する液晶表示装置において、反射板が設置されている状況を説明するための説明断面図である。実施の形態２に係る凹型湾曲パネルを有する液晶表示装置の反射板の設置状況と実施の形態１に係る凹型湾曲パネルを有する液晶表示装置の反射板の設置状況との相違は、実施の形態１に係る凹型湾曲パネルを有する液晶表示装置の反射板はスペーサ 以外の部材にも設置されているのに対して、実施の形態２に係る凹型湾曲パネルを有する液晶表示装置の反射板は、スペーサ以外の部材には設置されていないことである。このように設置される反射板であっても、実施の形態１に係る凹型湾曲パネルを有する液晶表示装置の反射板ほどの効果は得られないが、反射板を設けない場合よりは、ある程度の輝度むら等の発生を抑えられ、空隙２０１に反射板を設置するための工程を省くことにより製造コストを、僅かでも低減できる。
（実施の形態３）
図７は実施の形態３に係る凹型湾曲パネルを有する液晶表示装置の反射板の形成設置方法を説明するための断面図である。実施の形態３に係る凹型湾曲パネルを有する液晶表示装置の反射板の形成設置方法の特徴は、高反射材をスペーサに内壁に塗布して形成する点である。このように反射板を形成すれば、反射板をスペーサ等に設置する工程が不必要になるとともに、非常に薄い反射板を形成でき、液晶表示装置全体の小型化に僅かではあるが、寄与することができる。
（実施の形態４）
図８は実施の形態４に係る凹型湾曲パネルを有する液晶表示装置を説明するための断面図である。実施の形態４に係る凹型湾曲パネルを有する液晶表示装置の特徴は、スペーサ等に反射板を貼り付けたり、高反射材を塗布したりするのではなくスペーサ等自体を高反射材によって形成する点である。
（実施の形態５）
図９は実施の形態５に係る凹型湾曲パネルを有する液晶表示装置を説明するための断面図である。実施の形態５に係る凹型湾曲パネルを有する液晶表示装置の特徴は、反射板を設置する場所を凹型湾曲パネルを支持する第３スペーサ１０５及び第１スペーサ３０１だけではなく、液晶パネル１０１とバックライトユニット１０８によって囲まれた空間の内壁を構成する部材のうち液晶パネル１０１と、光源１０４から放射させる光が通過することを予定されている透明体を除くすべての部材の内壁に反射板を敷設する点である。
【００５３】
具体的に、図９を参照しつつ説明する。図９において、該内壁を構成する部材は、液晶パネル１０１、第３スペーサ１０５、スペーサ支持部１１４、光学シート１１５及び拡散板１１６、である。ここで、光学シート１１５及び拡散板１１６、は光源１０４から放射させる光が通過することを予定されている透明体に該当するから反射板を設置しない。
【００５４】
結果として、反射板を設置する内壁は第３スペーサ１０５及びスペーサ支持部１１４となり、図９に斜線で表示した部分となる。このように、反射板を設置することにより、液晶パネル１０１の隅部１１０における輝度むら等の発生を最小限にすることができる。
【図面の簡単な説明】
【００５５】
【図１】実施の形態１に係る凹型湾曲パネルを有する液晶表示装置において、反射板が設置されている様子を説明するための説明断面図である。
【図２】図１の左端部の拡大断面図である。
【図３】実施の形態１に係る凹型湾曲パネルを有する液晶表示装置の主要部品である液晶パネル１０１、第３スペーサ１０５、第１スペーサ３０１及びバックライトユニット１１３の展開図である。
【図４】凹型湾曲液晶パネルの両端を見ている  観測者の視線とバックライトの横幅の関係を示す説明断面図である。
【図５】凹型湾曲液晶パネルの観測者の視線と 反射板または反射シートとの関係を示す説明図である。
【図６】実施の形態２に係る凹型湾曲パネルを有する液晶表示装置において、反射板が設置されている状況を説明するための説明断面図である。
【図７】実施の形態３に係る凹型湾曲パネルを有する液晶表示装置の反射板の形成設置方法を説明するための断面図である。
【図８】実施の形態４に係る凹型湾曲パネルを有する液晶表示装置を説明するための断面図である。
【図９】実施の形態５に係る凹型湾曲パネルを有する液晶表示装置を説明するための断面図である。
【図１０】実施の形態１乃至５に共通する凹型湾曲パネルを有する液晶表示装置の主要部品の展開図である。
【符号の説明】
【００５６】
１０１      液晶パネル
１０２      反射板
１０３      ベゼル
１０４      光源
１０５      第３スペーサ
１１０      隅部
１１１      視線
１１２      視線
１１３      バックライトユニット
１１４      スペーサ支持部
１１５      光学シート
１１６      拡散板
３０１      第１スペーサ
３０２      第２スペーサ
【図１】
0004481245.tif 000002
【図２】
0004481245.tif 000003
【図３】
0004481245.tif 000004
【図４】
0004481245.tif 000005
【図５】
0004481245.tif 000006
【図６】
0004481245.tif 000007
【図７】
0004481245.tif 000008
【図８】
0004481245.tif 000009
【図９】
0004481245.tif 000010
【図１０】
0004481245.tif 000011